(57)【要約】【課題】誰でも綺麗な目地を形成しながら化粧板を下地材に貼着することができることができる化粧板貼着治具とその貼着治具を用いた化粧板の貼着方法を提供する。【解決手段】所望の目地間隔Ｊを開けて化粧板２を下地材３に貼着するための化粧板貼着治具１であって、化粧板２の表面に当接して化粧板貼着治具１を化粧板２に仮止めするための仮止め部１ｃが設けられた係止片１ａと、その係止片１ａの端から係止片１ａと直交するように突設された化粧板の端面２ａに当接する目地形成片１ｂからなり、目地形成片１ｂが化粧板２の厚みと同じ若しくはやや小さい出幅Ｗを有すると共に、所望の目地間隔Ｊと同じ厚みＴを有する構成とする。目地形成片１ｂの厚みＴを所望する目地間隔Ｊと同寸法に形成すれば、化粧板２と化粧板２の間に、所望する間隔の開いた綺麗な目地Ｊを誰でも簡単で綺麗に形成することができると共に、施工時間を大幅に短縮することができる。【選択図】図４
2010070949.tif 000002
【特許請求の範囲】
【請求項１】
所望の目地間隔を開けて化粧板を下地材に貼着するための化粧板貼着治具であって、
化粧板の表面に当接して化粧板貼着治具を化粧板に仮止めするための仮止め部が設けられた係止片と、その係止片の端から係止片と直交するように突設された化粧板の端面に当接する目地形成片からなり、
上記目地形成片が、化粧板の厚みと同じ若しくはやや小さい出幅を有すると共に、所望の目地間隔と同じ厚みを有することを特徴とする化粧板貼着治具。
【請求項２】
目地形成片を後方に延設し、化粧板の端面を押し当てながら下地材の方向へ摺動させるためのガイド片を形成したことを特徴とする請求項１に記載の化粧板貼着治具。
【請求項３】
係止片とガイド片の交点近傍に補強リブを設けたことを特徴とする請求項２に記載の化粧板貼着治具。
【請求項４】
目地形成片の出幅が１．５〜６．０ｍｍで、厚みが１．０〜５．０ｍｍであることを特徴とする請求項１ないし請求項３のいずれかに記載の化粧板貼着治具。
【請求項５】
係止片に設けられた仮止め部が、両面粘着テープ又は磁石板であることを特徴とする請求項１ないし請求項４のいずれかに記載の化粧板貼着治具。
【請求項６】
請求項１ないし請求項５のいずれかに記載の化粧板貼着治具の係止片に設けられた仮止め部を、下地材に貼着された化粧板表面の縁部又は巾木の縁部に当接すると共に、目地形成片を該化粧板の端面又は巾木の端面に当接して、化粧板貼着治具を化粧板又は巾木に係止させて、係止させた化粧板貼着治具の目地形成片に、新たに貼着すべき化粧板の端面を押し当てながら化粧板を下地材に貼着することを特徴とする化粧板貼着治具を用いた化粧板の貼着方法。
【発明の詳細な説明】
【技術分野】
【０００１】
本発明は、所望の目地間隔を開けて化粧板を下地材に貼着することのできる化粧板貼着治具とその貼着治具を用いた化粧板の貼着方法に関するものである。
【背景技術】
【０００２】
従来、化粧板を下地材に貼着するのに接着剤を用いてきたが、接着剤が乾燥して接着強度を有するようになるまでには時間を要するため、一枚の化粧板を下地材に貼着してからその近傍に新たな化粧板を貼着しようとすると、接着剤が乾燥するのを待たなければならず、作業時間が非常に長くなるという問題があった。
【０００３】
このような問題に対処するため、裏面に両面テープを貼着すると共に接着剤を塗布した化粧板を下地材に貼着する施工方法が採用されるようになってきている（特許文献１）。
【０００４】
このような施工方法を採れば、化粧板が両面テープによって瞬時に下地材に仮固定され、経時と共に接着剤によって強固に貼着されるので、一枚の化粧板を下地材に貼着してから直ぐにその近傍に新たな化粧板を貼着することができるようになり、作業時間を短縮することができる。
【特許文献１】特開平４−３１２６７１号公報
【発明の開示】
【発明が解決しようとする課題】
【０００５】
一般的に化粧板を下地材に貼着する際は、化粧板の温度や湿度の変化による伸縮対策や意匠性を向上させるために、化粧板と化粧板の間には一定間隔の目地を形成するが、上記の施工方法では、化粧板を一度下地材に貼着してしまうと、両面テープによって瞬時に貼着されてしまうため、位置ズレを修正するのが困難で、綺麗な目地を形成するには時間と熟練を要するという問題があった。また、一旦貼着してしまうと剥がし難く、一度剥がしてしまうと化粧板の再利用が難しいため、化粧板を廃棄しなければならないという問題もあった。
【０００６】
本発明は上記の問題に鑑みてなされたもので、その解決しようとする課題は、両面テープと接着剤を併用した化粧板を、誰でも簡単、且つ、綺麗な目地を形成しながら下地材に貼着することができて、作業時間も大幅に短縮することができる化粧板貼着治具とその貼着治具を用いた化粧板の貼着方法を提供することにある。
【課題を解決するための手段】
【０００７】
上記目的を達成するため、本発明に係る化粧板貼着治具は、所望の目地間隔を開けて化粧板を下地材に貼着するための化粧板貼着治具であって、化粧板の表面に当接して化粧板貼着治具を化粧板に仮止めするための仮止め部が設けられた係止片と、その係止片の端から係止片と直交するように突設された化粧板の端面に当接する目地形成片からなり、上記目地形成片が、化粧板の厚みと同じ若しくはやや小さい出幅を有すると共に、所望の目地間隔と同じ厚みを有することを特徴とするものである。
【０００８】
本発明の化粧板貼着治具においては、目地形成片を後方に延設し、化粧板の端面を押し当てながら下地材の方向へ摺動させるためのガイド片を形成したことが好ましい。また、係止片とガイド片の交点近傍に補強リブを設けたことが好ましい。更に、目地形成片の出幅が１．５〜６．０ｍｍで、厚みが１．０〜５．０ｍｍであることが好ましく、係止片に設けられた仮止め部が、両面粘着テープ又は磁石板であることがより好ましい。
【０００９】
次に、本発明の化粧板貼着治具を用いた化粧板の貼着方法は、上記いずれかの構成の化粧板貼着治具の係止片に設けられた仮止め部を、下地材に貼着された化粧板表面の縁部又は巾木の縁部に当接すると共に、目地形成片を該化粧板の端面又は巾木の端面に当接して、化粧板貼着治具を化粧板又は巾木に係止させて、係止させた化粧板貼着治具の目地形成片に、新たに貼着すべき化粧板の端面を押し当てながら化粧板を下地材に貼着することを特徴とするものである。
【発明の効果】
【００１０】
本発明の化粧板貼着治具は、下地材に貼着されている化粧板の表面と端面に、係止片に設けられた仮止め部と目地形成片をそれぞれ当接させて、仮止め部によって化粧板貼着治具を化粧板に係止し、係止した化粧板貼着治具の目地形成片に、新たに貼着すべき化粧板の端面を押し当てて下地材に貼着したのち、化粧板貼着治具を化粧板から取り外すと、化粧板と化粧板の間に目地形成片の厚みと同寸法の目地が形成される。従って、目地形成片の厚みを所望する目地間隔と同寸法に形成すれば、化粧板と化粧板の間に、所望する間隔の開いた綺麗な目地を形成することができる。また、化粧板貼着治具を化粧板に係止させる作業は、上記のように、化粧板の表面と端面に、係止片に設けられた仮止め部と目地形成片をそれぞれ当接させるだけの簡単な作業で行うことができ、その係止させた化粧板貼着治具に新たに貼着すべき化粧板を貼着する作業も、目地形成片に化粧板の端面を押し当てながら貼着するだけなので、誰でも簡単に綺麗な目地を形成することができる。従って、一度貼着した化粧板のズレを修正したり、新たに貼り直したり、化粧板を廃棄したりする必要が生じず、一度貼着した化粧板のズレを修正する必要がないため、両面テープと接着剤を併用した化粧板を用いることができるようになり、施工時間を大幅に短縮することができる。
【００１１】
また、目地形成片を後方に延設し、化粧板の端面を押し当てながら下地材の方向へ摺動させるためのガイド片を形成した化粧板貼着治具は、目地形成片の後方にガイド片を形成して化粧板貼着治具を略Ｔ字型とすることで、化粧板の端面を押し当てながら下地材の方向へ摺動させるためのスペースが形成されるので、より簡単且つ確実に綺麗な目地を形成することができるようになる。
【００１２】
上記のようにガイド片を形成して化粧板貼着治具を略Ｔ字型とすると、化粧板をガイド片に押し当てて下地材の方向へ摺動させるときに、ガイド片と係止片の交点近傍に化粧板の重みと押し当てた分の負荷がかかり、化粧板貼着治具が変形したり破損する恐れが生じるが、係止片とガイド片の交点近傍に補強リブを設けた化粧板貼着治具のように、負荷がかかる箇所に補強リブを設けるとその心配がなくなる。
【００１３】
また、目地形成片の出幅が１．５〜６．０ｍｍで、厚みが１．０〜５．０ｍｍである化粧板貼着治具のように、出幅をこのような寸法に形成すれば、市販されている大半の化粧板に用いることができる。そして、厚みを上記寸法に形成すれば、視覚的に綺麗な目地を形成することができて意匠性がよいし、化粧板の温度や湿度の変化による伸縮にも充分対応することができる。
【００１４】
更に、係止片に設けられた仮止め部が、両面粘着テープ又は磁石板である化粧板貼着治具は、仮止め部として、市販されている両面粘着テープを用いることができるので、仮止め部の形成が容易で費用を抑えることもできる。また、両面粘着テープは粘着力が適度であるため、化粧板貼着治具を取り外すときに、化粧板の表面を捲ったりしてしまう心配もない。一方、化粧板が金属製である場合は、磁石板で仮止め部を形成すると、簡単に仮止めすることができるし、繰り返し何度でも使用することができる。
【００１５】
次に、本発明の化粧板貼着治具を用いた化粧板の貼着方法は、上記のような優れた効果を奏する化粧板貼着治具を用いるので、化粧板貼着治具の係止片に設けられた仮止め部を、下地材に貼着された化粧板表面の縁部又は巾木の縁部に当接すると共に、目地形成片を該化粧板の端面又は巾木の端面に当接して、化粧板貼着治具を化粧板又は巾木に係止させて、係止させた化粧板貼着治具の目地形成片に、新たに貼着すべき化粧板の端面を押し当てながら化粧板を下地材に貼着することを特徴とする、という誰にでもできる簡単な作業で、化粧板と化粧板の間、又は化粧板と巾木の間に綺麗な目地を形成することができる。また、化粧板を下地材に貼着するのに両面テープと接着剤を併用することができるので、施工時間を大幅に短縮することもできる。
【発明を実施するための最良の形態】
【００１６】
以下、図面を参照して本発明の具体的な実施形態を詳述する。
【００１７】
図１は本発明の一実施形態に係る化粧板貼着治具の斜視図、図２は同貼着治具の正面図、図３は同貼着治具を用いた化粧板の貼着方法を説明する斜視図、図４は同貼着方法を説明する概略断面図であって、（ａ）は既設の化粧板に化粧板貼着治具を取付ける前の状態、（ｂ）は既設の化粧板に化粧板貼着治具を取付けて新たに貼着すべき化粧板の端面を化粧板貼着治具の目地形成片に押し当てた状態、（ｃ）は新たに貼着すべき化粧板を下地材に貼着した状態、（ｄ）は化粧板貼着治具を取り外して目地を形成した状態を示すものである。
【００１８】
本発明の化粧板貼着治具１は、図３、図４に示すように、所望の目地間隔Ｊを開けて化粧板２を下地材３に貼着するための略Ｌ字型の治具であって、図１、図２に示すように、化粧板の表面に当接して化粧板貼着治具を化粧板に仮止めするための仮止め部１ｃが設けられた係止片１ａと、その係止片１ａと直交する目地形成片１ｂから構成されている。
【００１９】
上記化粧板貼着治具１の係止片１ａは、図１に示すように、化粧板２の表面に当接する仮止め部１ｃが設けられた長方形の板状体で、この係止片１ａの長さが短かったり、高さがあまり低いと安定して化粧板２に係止させることができないので、長さが１００〜２００ｍｍ、高さが２０〜３５ｍｍ程度となるように形成されている。この係止片１ａの厚みは、目地Ｊを形成する上で直接関係しないが、本実施形態では、強度、成形性、施工性を考慮して、後述する目地形成片１ｂの厚みＴと同じ厚みに形成されている。
【００２０】
上記係止片１ａに設けられた仮止め部１ｃは、化粧板貼着治具１を化粧板２に仮止めするために設けられたもので、図１、図２、図４に示すように、係止片１ａの化粧板２側に位置する面に両面粘着テープを貼着することにより形成されている。本発明の化粧板貼着治具１は、化粧板２を下地材３に貼着したあとは取り外すものではあるが、化粧板２を下地材３に貼着する施工時に化粧板貼着治具１が外れてしまうと困る。両面粘着テープ１ｃの粘着力が５Ｎ／２０ｍｍより小さいと、施工時に化粧板貼着治具１が化粧板２の重み等で外れてしまう恐れがあり、粘着力が１７Ｎ／２０ｍｍより大きいと、化粧板２に糊が残ったり、化粧板貼着治具１を外すときに化粧板２が下地材３から剥がれてしまう恐れがあるので、アクリル系粘着剤の粘着力が５〜１７Ｎ／２０ｍｍ程度の弱粘着性の両面粘着テープ１ｃが好適に用いられる。また、この両面粘着テープ１ｃの厚みが０．４ｍｍよりも厚いと、両面粘着テープ１ｃに弾力性が付与されて、化粧板貼着治具１がグラついて不安定となり一定間隔の目地Ｊを確保できない恐れがあるので、０．０５〜０．４ｍｍの範囲内に収まるものがよい。
ここでいう粘着力とは、ＪＩＳ  Ｚ  ０２３７に準拠し、２０ｍｍ幅に粘着力を換算したものである。
尚、化粧板２が磁性を有する金属製のものや磁性を有する材料を含むものであれば、仮止め部１ｃとして磁石板を用いても構わない。
【００２１】
次に、目地形成片１ｂは、図１、図２、図４に示すように、上記係止片１ａの上端から係止片１ａと直交するように下地材３の方向へ突設されたもので、その内側の面が下地材３に貼着された化粧板２（以下、単に既設の化粧板２という。）の端面２ａと当接し、外側の面は新たに貼着すべき化粧板２の端面２ａが当接するようになっている。この目地形成片１ｂを化粧板２と化粧板２の間に介在させることで、目地形成片１ｂの厚みＴ分の間隔が開いた綺麗な目地Ｊを形成することができるようになると共に、新たに貼着すべき化粧板２を下地材３に貼着する際の基台部となり補助もする。従って、この目地形成片１ｂの厚みＴが目地Ｊの間隔となるので、意匠性や化粧板２の温度や湿度の変化による伸縮を考慮して、目地形成片１ｂの厚みＴは、１．０〜５．０ｍｍに設定されている。この寸法に目地形成片１ｂの厚みＴを設定することで、化粧板２を下地材３に貼着したときの意匠性が良好となると共に、化粧板２が温度や湿度の変化により伸縮したとしても目地Ｊを塞いでしまう心配がなくなる。また、目地形成片１ｂの係止片１ａからの出幅Ｗ（係止片１ａからの突設寸法）が、化粧板２の厚みよりも大きいと、係止片１ａの仮止め部１ｃが化粧板２の表面に当接せずに化粧板貼着治具１がグラついてしまい、一定間隔の綺麗な目地Ｊを形成するのが困難となるので、化粧板２の厚みと同じ若しくはやや小さくなるように形成されている。市販されている化粧板２の厚みは、１．５〜６．０ｍｍのものが殆どで、更にその大半は３〜５ｍｍ程度であるので、出幅Ｗもその寸法に合わせて係止片１ａから３〜５ｍｍ程度突設されている。
尚、ここでいう出幅Ｗが化粧板２の厚みと同じとは、化粧板２の厚みと強粘着性の両面テープ２ｂの厚みと仮止め部１ｃの厚みを足したものが、出幅Ｗと同じになることを含むものである。
【００２２】
以上のような構成の化粧板貼着治具１は、合成樹脂で成形されたものが好適に用いられるが、その材質については特に限定されるものではなく、金属製のものであっても構わない。また、化粧板貼着治具１の成形方法についても特に限定されるものではなく、押出成形で形成してもよいし、一枚の板状体を曲げ加工することで形成してもよく、２枚の板状体（係止片１ａと目地形成片１ｂ）を接着又は溶接加工して形成してもよい。
【００２３】
次に上記化粧板貼着治具１を用いた化粧板２の貼着方法を説明する。
【００２４】
まず、下地材３を清掃し、ゴミや埃を落として完全に乾燥させる。化粧板２を貼着する下地材３として、コンクリートやモルタルの下地材、ＰＣ板、ＡＬＣ板等が多いが、その他にもタイル等で予め化粧された下地材にも化粧板２を貼着することができる。
【００２５】
下地材３の処理が終わると、その下地材３に化粧板２を貼着していくが、このとき、まず最初にコーナー部分から貼着していくのが、のちに化粧板２を貼着するのに作業性がよい。コーナー部分には、図３に示すようなＬ字形の化粧板５を貼着する。その際、Ｌ字形の化粧板５がコーナー部分にきちんと収めるように注意する。
【００２６】
コーナー部分にＬ字形の化粧板５を貼着すると、次に、そのＬ字形の化粧板５の隣に化粧板２を貼着する。その際、下地材３の下側から貼着していくと貼着作業がやり易くなり、本実施形態のように、下地材３の下端部に巾木４が配設されている場合は、その巾木４の上側から化粧板２を貼着していく。
【００２７】
下地材３に貼着する化粧板２としては、厚みが３〜５ｍｍ程度の、ケイ酸カルシウム板、フレキシブルボード、人造大理石材、セラミックボード等の無機質化粧板、或いは金属製の化粧板、又はメラミン樹脂、フェノール樹脂等の熱硬化性樹脂製の化粧板や、塩化ビニル樹脂、ポリプロピレン樹脂製等の熱可塑性樹脂製の合成樹脂製化粧板などが好適に用いられる。このような材質で形成された化粧板２は、その裏面に両面テープ２ｂが貼着されると共に、接着剤（不図示）が塗布されることによって下地材３に貼着される。化粧板２の裏面に塗布する接着剤は、ウレタン系、エポキシ系、シリコン系、変性シリコン系のものが用いられ、この接着剤によって化粧板２を下地材３に強固に貼着する（本固定）。しかしながら、この接着剤だけでは、接着剤が乾燥して接着強度を有するようになるまでに時間を要するため、それまでの時間、化粧板２を仮固定する役割を両面テープ２ｂが果たす。この両面テープ２ｂは、接着剤が乾燥するまで化粧板２を支えなければならないので、前述した化粧板貼着治具１に設けられた弱粘着性の両面粘着テープ１ｃよりも粘着力が強いものが好ましく、その粘着力が、２０〜４０Ｎ／２０ｍｍ程度の強粘着性のものが好適に用いられる。また、両面テープ２ｂの厚みが２．０ｍｍよりも厚いと、化粧板２の裏面に多くの接着剤を塗布する必要が生じ、０．５ｍｍよりも薄いと、下地の凹凸(不陸)への追従が不十分となる可能性があるため、厚みが０．５〜２．０ｍｍのものが好適に用いられる。
【００２８】
巾木４の上側に上記のような化粧板２を貼着するには、まず、巾木４の端面に化粧板貼着治具１の目地形成片１ｂの内側面を当接させると共に、巾木４の上縁部に、化粧板貼着治具１の係止片１ａに設けられた両面粘着テープ１ｃを当接して、化粧板貼着治具１を巾木４に係止させる。次に、Ｌ字形の化粧板５に化粧板貼着治具１を係止させる。Ｌ字形の化粧板５に化粧板貼着治具１を係止させるには、Ｌ字形の化粧板５の端面に化粧板貼着治具１の目地形成片１ｂの内側面を当接させると共に、Ｌ字形の化粧板５の左側端部に化粧板貼着治具１の両面粘着テープ１ｃを当接させて、その両面粘着テープ１ｃをＬ字形の化粧板５の表面に押し付けることにより行われる。そして、新たに貼着する化粧板２の端面（下端面と右端面）を、係止した化粧板貼着治具１の目地形成片１ｂの外側面に押し当てながら、化粧板貼着治具１を下地材３に押し付けて化粧板２を下地材３に貼着する。
【００２９】
上記のように巾木４の上側に化粧板２を貼着すると、次に、その既設の化粧板２の上側に新たに貼着すべき化粧板２を貼着する。新たな化粧板２を既設の化粧板２の上側に貼着するには、図４の（ａ）に示すように、化粧板貼着治具１の目地形成片１ｂが上側に位置するように配置する。そして、図４の（ｂ）に示すように、既設の化粧板２表面の上縁部に化粧板貼着治具１の両面粘着テープ１ｃを当接すると共に、既設の化粧板２の上端面に化粧板貼着治具１の目地形成片１ｂの内側面を当接し、両面粘着テープ１ｃを既設の化粧板２の表面に押し付けることで、化粧板貼着治具１を既設の化粧板２の上縁部に係止させる。また、前述した施工手順で、Ｌ字形の化粧板５にも化粧板貼着治具１を係止させる。このようにして化粧板貼着治具１を既設の化粧板２とＬ字形の化粧板５に係止させたのち、図４の（ｂ）、（ｃ）に示すように、新たに貼着すべき化粧板２の端面（下端面と右端面）を、係止させた化粧板貼着治具１の目地形成片１ｂの外側面に押し当てながら、化粧板２を下地材３に押し付けて下地材３に貼着する。新たな化粧板２を下地材３に貼着したのち、化粧板貼着治具１を既設の化粧板２から取り外すと、図４の（ｄ）に示すように、一定間隔を保った綺麗な目地Ｊが形成される。
尚、１枚の化粧板２を貼着するのに用いられる化粧板貼着治具１の数は、化粧板２の大きさによって変化するものであるが、普通サイズの化粧板２であれば、図３に示すように、新たに貼着する化粧板２の下側に位置する既設の化粧板２の上縁部に２つ、新たに貼着する化粧板２の右側に位置する既設の化粧板２の左縁部に２つの合計４個の化粧板貼着治具１を用いると、新たに貼着する化粧板２がズレることなく一定の間隔を保った綺麗な目地Ｊを形成することができる。また、Ｌ字形の化粧板５の隣の最下段に化粧板２を貼着する場合も、巾木４に２個、Ｌ字形の化粧板５に２個の合計４個の化粧板貼着治具１を用いると、綺麗な目地Ｊを形成することができる。
【００３０】
上記の作業を繰り返して、Ｌ字形の化粧板５の隣に化粧板２を貼着し終えると、図３に示すように、その化粧板２を貼着した列の隣に更に新たな化粧板２を貼着していく。この作業は、前述した作業がＬ字形の化粧板５に化粧板貼着治具１を係止させたのに対して、既設の化粧板２（一列目）の左縁部に化粧板貼着治具１を係止させる点が異なるだけで、その他の作業は同じであるので説明を省略する。
【００３１】
上記のように、化粧板２を貼着すると、次に、下地材３の反対側のコーナー部分にＬ字形の化粧板５を貼着する。そして、その反対側のコーナー部分に貼着したＬ字形の化粧板５の隣に新たな化粧板２を貼着する。このように化粧板２を何列にも貼着しながら下地材３を化粧板２で埋めていく。そして、最後の一列に貼着する化粧板２の寸法を調整し、下地材３に貼着する。このような手順で施工すると、最後の一列に貼着する化粧板２だけを寸法調整するだけでよいので、作業時間を短縮することができる。
尚、化粧板２の寸法や下地材３の大きさによって、化粧板２を貼着する列数が変化するのは言うまでもない。
【００３２】
下地材３の全面に化粧板２を貼着すると、化粧板貼着治具１を用いたことによって化粧板２と化粧板２の間に形成された目地Ｊを、シリコン系のコーキング剤でコーキングして化粧目地を形成する。
尚、化粧板２が塩化ビニル樹脂等の熱可塑性樹脂製の場合は、溶接棒で目地Ｊを溶接加工する。また、巾木４と化粧板２との間の目地Ｊは、巾木４が化粧板２と溶接可能な熱可塑性樹脂製のものであれば溶接すればよいし、溶接できなければシリコン系コーキング剤でコーキングすればよい。
【００３３】
以上の説明から明らかなように、本発明の化粧板貼着治具１とその貼着治具１を用いた化粧板の貼着方法は、既設の化粧板２に化粧板貼着治具１を係止させて、その化粧板貼着治具１の目地形成片１ｂに新たに貼着すべき化粧板２を押し当てながら化粧板２を下地材３に貼着したのち、化粧板貼着治具１を取り外しするといった簡単な作業で、所望する間隔の目地Ｊを綺麗に形成することができる。このように、簡単な作業で綺麗な目地Ｊを形成することができるので、化粧板２のズレを修正したり、化粧板２を貼り直したり、化粧板２を廃棄する必要が生じず、両面テープ２ｂと接着剤を併用した化粧板２を用いることができるようになるので、時間と費用を大幅に削減することができる。
【００３４】
図５は本発明の他の実施形態に係る化粧板貼着治具の斜視図、図６は同化粧板貼着治具の正面図、図７は同貼着治具を用いた化粧板の貼着方法を説明する概略断面図である。
【００３５】
この実施形態の化粧板貼着治具１０は、図５、図６に示すように、前述した化粧板貼着治具１の目地形成片１ｂを後方（下地材３とは逆の向き）に延設することでガイド片１ｄを形成した、略Ｔ字型の化粧板貼着治具１０である。
【００３６】
目地形成片１ｂを後方に延設することで形成されたガイド片１ｄは、前述した化粧板貼着治具１が、目地形成片１ｂの出幅Ｗを化粧板２の厚みと同じ若しくは小さくなるように形成しなくてはならず、新たな化粧板２を貼着する際に、その化粧板の端面２ａを押し当てるスペースを充分に確保できない場合が生じるので、この問題を解消するため形成されたものである。このガイド片１ｄの目地形成片１ｂからの延設寸法Ｅをあまり長くしてしまうと、ガイド片１ｄの端部に化粧板２を押し当てた際に、係止させた化粧板貼着治具１０が化粧板２の重みで外れてしまう恐れが生じるので、図６に示すように、延設寸法Ｅは、係止片１ａよりも短くなるように形成するのが好ましい。このようなガイド片１ｄを形成すると、新たに貼着する化粧板の端面２ａを押し当てるスペースが増えるので、化粧板の端面２ａを押し当てるのが容易になるのは勿論のこと、化粧板の端面２ａをガイド片１ｄの上面に押し当てながら、化粧板２を下地材３の方向に摺動させて下地材３に貼着できるようになるので、貼着作業がより容易となり、ズレも発生し難くなる。
【００３７】
本実施形態の化粧板貼着治具１０も、前述した化粧板貼着治具１と同様に合成樹脂で成形されたものなので、化粧板の端面２ａをガイド片１ｄに押し当てると、係止片１ａとガイド片１ｄの交点近傍に、化粧板２の重量や下方に押し付ける力が集中し、化粧板貼着治具１０が変形したり破損したりする恐れが生じる。このような事情に鑑みて、図５、図６に示すように、係止片１ａとガイド片１ｄの交点近傍には、三角形の補強リブ１ｅが設けられている。この補強リブ１ｅは、係止片１ａとガイド片１ｄの交点近傍に樹脂溶接することで設けられたものであるが、樹脂溶接に限定されるものではなく、化粧板貼着治具１０と補強リブ１ｅを一体に形成してもよい。
この実施形態の化粧板貼着治具１０のその他の構成は、前述した図１〜図４に示す実施形態と同様であるから、同一部材に同一符号を附して説明を省略する。
【００３８】
上記構成の化粧板貼着治具１０を用いて化粧板２を貼着するには、前述した化粧板貼着治具１の貼着方法と同様に、化粧板貼着治具１０の係止片１ａに貼着された両面粘着テープ１ｃを既設の化粧板２の表面に当接すると共に、既設の化粧板の上端面２ａに化粧板貼着治具１０の目地形成片１ｂの内側面を当接し、両面粘着テープ１ｃを既設の化粧板２の表面に押し付けることで、化粧板貼着治具１０を既設の化粧板２の上縁部に係止させる。そして、図７に示すように、新たに貼着すべき化粧板の端面２ａを、係止させた化粧板貼着治具１０のガイド片１ｄの上面に載せて、化粧板２をガイド片１ｄに押し当てながら下地材３の方向へ摺動させて下地材３に貼着し、化粧板貼着治具１０を既設の化粧板２から取り外すと、一定間隔が保たれた綺麗な目地Ｊが形成される。
この化粧板貼着治具１０を用いた化粧板２を貼着方法のその他の貼着方法は、前述した図１〜図４に示す実施形態と同様であるから、説明を省略する。
【００３９】
以上のような実施形態の化粧板貼着治具１０とその化粧板貼着治具１０を用いた化粧板の貼着方法も、前述した実施形態の化粧板貼着治具１と同様に、誰でも簡単に綺麗な目地Ｊを形成しながら化粧板２を下地材３に貼着することができて、作業時間も大幅に短縮することができる、といった効果を奏する。更に、この化粧板貼着治具１０は、ガイド片１ｄを形成することで、化粧板２の端面２ａを押し当てながら下地材３の方向へ摺動させるためのスペースが形成されるので、より簡単且つ確実に綺麗な目地Ｊを形成することができるようになる。
【図面の簡単な説明】
【００４０】
【図１】本発明の一実施形態に係る化粧板貼着治具の斜視図である。
【図２】同貼着治具の正面図である。
【図３】同貼着治具を用いた化粧板の貼着方法を説明する斜視図である。
【図４】同貼着方法を説明する概略断面図であって、（ａ）は既設の化粧板に化粧板貼着治具を取付ける前の状態、（ｂ）は既設の化粧板に化粧板貼着治具を取付けて新たに貼着すべき化粧板の端面を化粧板貼着治具の目地形成片に押し当てた状態（ｃ）は新たに貼着すべき化粧板を下地材に貼着した状態、（ｄ）は化粧板貼着治具を取り外して目地を形成した状態を示すものである。
【図５】本発明の他の実施形態に係る化粧板貼着治具の斜視図である。
【図６】同化粧板貼着治具の正面図である。
【図７】同貼着治具を用いた化粧板の貼着方法を説明する概略断面図である。
【符号の説明】
【００４１】
１，１０  化粧板貼着治具
１ａ  係止片
１ｂ  目地形成片
１ｃ  仮止め部（弱粘着性の両面粘着テープ）
１ｄ  ガイド片
１ｅ  補強リブ
２    化粧板
２ａ  化粧板の端面
２ｂ  両面テープ（強粘着性）
３    下地材
４    巾木
５    Ｌ字形の化粧板
Ｊ    目地
Ｔ    厚み
Ｗ    出幅
【図１】
2010070949.tif 000003
【図２】
2010070949.tif 000004
【図３】
2010070949.tif 000005
【図４】
2010070949.tif 000006
【図５】
2010070949.tif 000007
【図６】
2010070949.tif 000008
【図７】
2010070949.tif 000009